(57)【要約】【課題】正逆いずれの周方向に回転させた場合でも同等の操作トルクが得られるレンズ鏡筒を提供する。【解決手段】レンズを保持する固定筒と、固定筒に対してレンズの周方向である正逆方向に回転可能な操作部材と、固定筒または操作部材の一方に設けられ、レンズの径方向に突出した復帰部材と、固定筒または操作部材の他方に設けられ、径方向に突出した中立部材と、固定筒または操作部材の他方に固定されたばね軸部、および、ばね軸部から延伸した第１の脚部および第２の脚部を備えたばね部材とを有し、操作部材が回転していない場合、ばね部材の第１の脚部および第２の脚部は、付勢力により周方向における中立部材の両側から当接し、操作部材が回転すると、第１の脚部または第２の脚部の一方は、復帰部材により周方向に変位し、第１の脚部と第２の脚部の少なくとも一方は、径方向における第１の脚部と第２の脚部の間の距離が近づくように曲げられている。【選択図】図５
2013045034.tif 000002
【特許請求の範囲】
【請求項１】
レンズを保持する固定筒と、
前記固定筒に対して前記レンズの周方向である正逆方向に回転可能な操作部材と、
前記固定筒または前記操作部材の一方に設けられ、前記レンズの径方向に突出した復帰部材と、
前記固定筒または前記操作部材の他方に設けられ、前記径方向に突出した中立部材と、
前記固定筒または前記操作部材の他方に固定されたばね軸部、および、該ばね軸部から延伸した第１の脚部および第２の脚部を備えたばね部材と、を有し、
前記操作部材が回転していない場合、前記ばね部材の前記第１の脚部および前記第２の脚部は、付勢力により前記周方向における前記中立部材の両側から当接し、
前記操作部材が回転すると、前記第１の脚部または前記第２の脚部の一方は、前記復帰部材により前記周方向に変位し、
前記第１の脚部と前記第２の脚部の少なくとも一方は、前記径方向における該第１の脚部と該第２の脚部の間の距離が近づくように曲げられている、ことを特徴とするレンズ鏡筒。
【請求項２】
前記径方向における前記第１の脚部と前記第２の脚部の間の前記距離が近づくように、該第１の脚部と該第２の脚部の一方が該径方向のうち前記レンズの中心方向に曲げられていることを特徴とする請求項１に記載のレンズ鏡筒。
【請求項３】
前記径方向における前記第１の脚部と前記第２の脚部の間の前記距離が近づくように、該第１の脚部と該第２の脚部の両方が曲げられていることを特徴とする請求項１に記載のレンズ鏡筒。
【請求項４】
前記径方向において、前記第１の脚部と前記第２の脚部の位置は互いに一致していることを特徴とする請求項１乃至３のいずれか１項に記載のレンズ鏡筒。
【請求項５】
前記第１の脚部と前記第２の脚部の少なくとも一方の先端部は、前記ばね部材の付勢方向と逆に曲げられていることを特徴とする請求項１乃至４のいずれか１項に記載のレンズ鏡筒。
【請求項６】
前記操作部材の操作が終了した場合、前記第１の脚部または前記第２の脚部の付勢力により前記復帰部材は前記周方向の所定の位置に復帰することを特徴とする請求項１乃至５のいずれか１項に記載のレンズ鏡筒。
【請求項７】
前記ばね部材はトーションばねであることを特徴とする請求項１乃至６のいずれか１項に記載のレンズ鏡筒。
【請求項８】
請求項１乃至７のいずれか１項に記載のレンズ鏡筒を有することを特徴とする光学機器。
【発明の詳細な説明】
【技術分野】
【０００１】
本発明は、自動復帰式操作装置を備えたレンズ鏡筒および光学機器に関する。
【背景技術】
【０００２】
従来から、いわゆるフォーカスプリセットシステムが搭載されたレンズ鏡筒およびカメラなどの光学機器が知られている。フォーカスプリセットシステムは、プリセット位置の設定装置、プリセット位置の記憶装置、および、プリセット位置への復帰装置などを備えて構成されている。プリセット位置の設定装置が操作されると、操作時におけるレンズの合焦位置が記憶装置に記憶される。その後、復帰装置が操作されると、予め記憶装置に記憶されたプリセット位置にフォーカスレンズが移動する。
【０００３】
このようなフォーカスプリセットシステムを備えたレンズ鏡筒および光学機器によれば、簡単なスイッチ操作により所望の被写体に合焦するフォーカスレンズの位置を記憶させ、フォーカスレンズを短時間でその記憶位置に移動させることができる。このため、シャッターチャンスを逃すことを防止できる。また、手動で操作環を操作する必要がないため、撮影画像のブレを防止することが可能である。
【０００４】
特許文献１には、パワーズーム機構として上記構成を採用し、操作リングの操作によりズーミングを行う電動ズームレンズ鏡筒が開示されている。
【先行技術文献】
【特許文献】
【０００５】
【特許文献１】特許第２７８７５０１号
【発明の概要】
【発明が解決しようとする課題】
【０００６】
特許文献１の構成では、ばねの特性上、操作リングを一定角度だけ回転させてばねが一定角度だけ開いた場合に発生するばね力は、正方向と逆方向のいずれでも同じである。しかし、２本のばね脚部が操作リングの復帰柱に付勢力を伝える作用点は、ばねのコイル軸方向から見ると高さがずれており、ばねのコイル部の高さ分だけ差異が生じる。その高さの差異により回転モーメントに差異が生じ、正方向と逆方向の回転トルクは等しくならない。このため、使用者が操作リングを操作した場合に違和感を持つという問題があった。
【０００７】
そこで本発明は、正逆いずれの周方向に回転させた場合でも同等の操作トルクが得られるレンズ鏡筒および光学機器を提供する。
【課題を解決するための手段】
【０００８】
本発明の一側面としてのレンズ鏡筒は、レンズを保持する固定筒と、前記固定筒に対して前記レンズの周方向である正逆方向に回転可能な操作部材と、前記固定筒または前記操作部材の一方に設けられ、前記レンズの径方向に突出した復帰部材と、前記固定筒または前記操作部材の他方に設けられ、前記径方向に突出した中立部材と、前記固定筒または前記操作部材の他方に固定されたばね軸部、および、該ばね軸部から延伸した第１の脚部および第２の脚部を備えたばね部材とを有し、前記操作部材が回転していない場合、前記ばね部材の前記第１の脚部および前記第２の脚部は、付勢力により前記周方向における前記中立部材の両側から当接し、前記操作部材が回転すると、前記第１の脚部または前記第２の脚部の一方は、前記復帰部材により前記周方向に変位し、前記第１の脚部と前記第２の脚部の少なくとも一方は、前記径方向における該第１の脚部と該第２の脚部の間の距離が近づくように曲げられている。
【０００９】
本発明の他の側面としての光学機器は、前記レンズ鏡筒を備えた光学機器である。
【００１０】
本発明の他の目的及び特徴は、以下の実施例において説明される。
【発明の効果】
【００１１】
本発明によれば、正逆いずれの周方向に回転させた場合でも同等の操作トルクが得られるレンズ鏡筒および光学機器を提供することができる。
【図面の簡単な説明】
【００１２】
【図１】実施例１におけるレンズ鏡筒の全体構成図である。
【図２】実施例１におけるレンズ鏡筒の要部断面図である。
【図３】実施例１におけるレンズ鏡筒の要部斜視図である。
【図４】実施例１におけるレンズ鏡筒の要部側面図である。
【図５】実施例１におけるレンズ鏡筒の要部側面図である。
【図６】実施例１におけるトーションばねの斜視図である。
【図７】実施例２におけるトーションばねの斜視図である。
【発明を実施するための形態】
【００１３】
以下、本発明の実施例について、図面を参照しながら詳細に説明する。各図において、同一の部材については同一の参照番号を付し、重複する説明は省略する。
【実施例１】
【００１４】
まず、本発明の実施例１におけるレンズ鏡筒について説明する。図１は、本実施例におけるレンズ鏡筒１００の全体構成図である。レンズ鏡筒１００は、後述の自動復帰式操作装置を備えている。
【００１５】
図１において、レンズ鏡筒１００の内部には、複数のレンズ群Ｌ１〜Ｌ６（複数のレンズ）が配置されている。以降の説明において、レンズの枚数に関係なく（レンズが１枚の場合でも）便宜上「レンズ群」という。レンズ群Ｌ１、Ｌ３、Ｌ５は固定レンズ群であり、レンズ群Ｌ２は光軸ＯＡの方向（光軸方向、ｚ軸方向）に移動可能なフォーカスレンズ群である。レンズ群Ｌ４は、手振れ等に応じて光軸直交方向（ｘｙ方向）に移動し、像振れを補正する補正レンズ群である。またレンズ群Ｌ６は、差込フィルタである。
【００１６】
レンズ群Ｌ１は前群鏡筒１に保持され、前群鏡筒１は固定筒８（ユニット筒）に固定されている。レンズ群Ｌ２は、移動鏡筒６に保持されており、移動鏡筒６にはベアリングコロ７がビス固定されている。ベアリングコロ７は、案内筒３に形成された直進溝およびカム筒４に形成されたフォーカスカムに嵌合している。また、アクチュエータユニット５により光軸周りで回転駆動されるフォーカスキー２には、カム筒４が係合している。このため、フォーカスキー２によりカム筒４が回転駆動されると、移動鏡筒６すなわちレンズ群Ｌ２が光軸方向に進退し、フォーカシングが行われる。
【００１７】
案内筒３は固定筒８を介して中間筒１９に接続支持され、中間筒１９は固定筒９に接続支持されている。外筒１０は、固定筒９に接続支持されている。外筒１０には目盛窓１１が設けられており、アクチュエータユニット５の回転に伴って、光軸周りで回転する距離目盛１２が確認可能に構成されている。またアクチュエータユニット５は、ビスにより案内筒３に固定されている。レンズ群Ｌ３は後群鏡筒１３に支持され、後群鏡筒１３はビスにより固定筒９に支持されている。
【００１８】
レンズ群Ｌ４は防振ユニット１４に支持され、防振ユニット１４はビスにより固定筒９に支持されている。防振ユニット１４は、振動検出センサ（不図示）を用いてレンズ鏡筒１００（レンズ鏡筒１００が装着されたカメラなどの光学機器）の振れを検出し、レンズ群Ｌ４を光軸直交方向に駆動する。レンズ群Ｌ５は固定鏡筒１５に支持され、固定鏡筒１５はビスにより固定筒９に支持されている。固定筒９の後端部には、ビスによりマウント１６および接点ブロック１７が支持されている。１８は絞りユニットであり、ビスにより中間筒１９に固定されている。電気回路基板（不図示）上に形成された制御回路（不図示）は、アクチュエータユニット５、防振ユニット１４、および、絞りユニット１８などを制御する。
【００１９】
２１は、固定筒８の外周に回転操作可能に取り付けられたマニュアルフォーカスリングである。マニュアルフォーカスリング２１は、ビスによりアクチュエータユニット５内の連結環５ａに連結されている。マニュアルフォーカスリング２１の操作力およびアクチュエータユニット５の駆動力により、フォーカスキー２の回転駆動が選択的に可能である。このため、レンズ群Ｌ２のマニュアル駆動（マニュアルフォーカシング）および自動駆動（オートフォーカシング）を行うことができる。
【００２０】
また、図示していないが、レンズ鏡筒１００の外面にはスイッチパネルが配置されている。このスイッチパネル上には、マニュアルフォーカシングとオートフォーカシングの切り替えスイッチや、振れ補正機能のＯＮ／ＯＦＦスイッチや、フォーカスプリセット位置の設定スイッチなどが設けられている。これらの各種スイッチ等は、フレキシブルプリント板により電気回路基板に接続されている。
【００２１】
２３は、前群鏡筒１または固定筒８に対してレンズ鏡筒１００（レンズ）の周方向である正逆方向（両方向）に回転可能な操作部材（プリセット復帰操作リング）である。操作部材２３は、光軸方向から見た場合における正回転方向（時計回り方向）または逆回転方向（反時計回り方向）に回転操作が可能である。操作部材２３を正回転方向または逆回転方向のいずれかに移動させると、フォーカスプリセット位置の設定スイッチの操作によって予めメモリに記憶された光軸方向の位置に、レンズ群Ｌ２を強制的に移動させる。
【００２２】
次に、図２乃至図５を参照して、操作部材２３を備えて構成される自動復帰式操作装置（中立位置復帰機構）の構成および動作について説明する。図２は、本実施例におけるレンズ鏡筒１００の要部断面図であり、図１に示される領域５０（自動復帰式操作装置）の拡大図である。図３は、レンズ鏡筒１００の要部斜視図であり、理解容易のために主要部品の一部を省略している。図４は、レンズ鏡筒１００の要部側面図であり、図３の構成を光軸方向（ｚ軸方向）から見た図である。図５は、レンズ鏡筒１００の要部側面図であり、図３の構成を光軸方向および復帰柱に垂直な方向（ｘ軸方向）から見た図である。なお、図１はレンズ鏡筒１００の全体を説明するための概略図であるため、図２乃至図５は、図１の構成と必ずしも一致していない。
【００２３】
本実施例のレンズ鏡筒１００（自動復帰式操作装置）は、操作部材２３（プリセット復帰操作リング）、固定筒２７、トーションばね３１（ばね部材）、および、固定筒２７にトーションばね３１を固定するためのピン２５（固定部材）を備えて構成されている。２４、２６は、固定筒２７に固定されたホルダー筒であり、ホルダー筒２４、２６と操作部材２３はレンズ鏡筒１００（レンズ）の径方向Ｒにて嵌合している。
【００２４】
操作部材２３は、径方向Ｒに突出した復帰柱２３ａ（復帰部材）を有する。復帰柱２３ａは、固定筒２７（ユニット筒）側に支持されたトーションばね３１による回転付勢力を受ける。このため復帰柱２３ａ（操作部材２３）は、外力が加えられていない状態では中立位置Ｎに復帰する。トーションばね３１は、ピン２５を用いて固定筒２７に固定されたコイル部３１ｅ（ばね軸部）と、コイル部３１ｅから延伸した脚部３１ａ（第１の脚部）および脚部３１ｂ（第２の脚部）とを備えて構成される。脚部３１ａ、３１ｂは、復帰柱２３ａに掛け止められている。固定筒２７には、径方向Ｒ（レンズの中心から離れる方向）に突出した中立柱２７ａ（中立部材）が設けられており、復帰柱２３ａに対向配置されている。脚部３１ａ、３１ｂは、中立柱２７ａにも掛け止められている。本実施例において、ピン２５および中立柱２７ａはいずれも、固定筒２７に固定されている。ただし本実施例はこれに限定されるものではなく、ピン２５および中立柱２７ａの少なくとも一方が固定筒２７と一体的に構成されていてもよい。
【００２５】
図３に示されるように、操作部材２３は正回転方向または逆回転方向の両方向に回転可能であり、使用者がいずれかの方向に回転操作することにより、レンズ群Ｌ２（フォーカスレンズ）を強制的に移動させることができる。すなわち使用者は、操作部材２３は、所定の角度だけレンズ鏡筒１００（レンズ）の周方向に回転させることにより、予め記憶されたプリセット位置にレンズ群Ｌ２を移動させることができる。また、使用者が操作部材２３から指を離してトーションばね３１の回転付勢力を解放し操作部材２３の操作を終了することにより、操作部材２３が中立位置Ｎ（所定の位置）に自動的に復帰する。上述のように、操作部材２３の回転は、正回転方向および逆回転方向のいずれについても検出され、使用者の撮影姿勢や好みに応じて正回転方向および逆回転方向のいずれについても適用可能である。
【００２６】
図示していないが、本実施例の自動復帰式操作装置は、光軸方向から見て互いに略対向する位置に２つ設けられている。自動復帰式操作装置が１つの場合や、２つ以上設けた場合でも各装置が偏った位置に配置されていると、回転モーメントが一方向からかかってしまう。このため、回転の開始や終了時、または回転途中において、操作部材２３の摺動部のガタにより回転方向以外に動く可能性がある。回転操作時にこのようなガタが生じると、使用者が違和感を持つことになる。したがって、摺動部のガタを発生させないように、２つの自動復帰式操作装置を有する場合には略対向位置に、３つの自動復帰式操作装置を有する場合には略１２０°等分の位置にそれぞれ配置することが好ましい。
【００２７】
操作部材２３が回転していない場合、トーションばね３１の脚部３１ａ、３１ｂは、付勢力によりレンズ鏡筒１００（レンズ）の周方向における中立柱２７ａの両側から当接している。使用者が操作部材２３を図３に示される正回転方向に回転操作すると、操作部材２３に一体的に設けられている復帰柱２３ａ（復帰部材）がトーションばね３１の脚部３１ａを正回転方向に押し開く。一方、脚部３１ｂは、固定筒２７に設けられた中立柱２７ａにより、正回転方向に移動できないように押さえられる。すなわち、操作部材２３が回転すると、脚部３１ａ、３１ｂの一方が、復帰柱２３ａによりレンズの周方向に変位する。したがって、操作部材２３を正回転方向に回転操作すると、操作部材２３はトーションばね３１の脚部３１ａにより逆回転方向に回転付勢力を受ける。使用者が操作部材２３を回転操作した後に操作部材２３から手を離すと、トーションばね３１の回転付勢力により、操作部材２３は逆回転方向に回転し、中立位置Ｎに自動的に復帰する。
【００２８】
本実施例において、復帰柱２３ａは操作部材２３と一体的に形成されているが、これに限定されるものではなく、別部品として形成して操作部材２３に接着剤やビスなどを用いて固定してもよい。同様に、中立柱２７ａは固定筒２７と一体的に形成されているが、これに限定されるものではなく、別部品として固定筒２７に固定されていてもよい。また、トーションばね３１は、ピン２５によって固定筒２７に固定されているが、これに限定されるものではなく、固定筒２７に一体的に形成された軸に嵌合されているものでもよい。
【００２９】
操作部材２３および固定筒２７には、操作部材２３の回転角度を規制する部材（不図示）が設けられており、操作部材２３が所定の角度以上回転できないように構成されている。また回転可能な角度は、トーションばね３１の弾性変形範囲内に設定されており、回転の繰り返しなどによるばねのヘタリが生じない程度の角度に設定されている。また、復帰柱２３ａには、トーションばね３１の脚部３１ａ、３１ｂが復帰柱２３ａから径方向Ｒに脱落し、トーションばね３１の付勢力が復帰柱２３ａに作用しなくなることを防ぐため、脱落防止の凸形状部２３ｂが形成されている。使用者が操作部材２３を図３に示される逆回転方向に回転操作した場合でも、上述の正回転方向の場合と同様である。
【００３０】
次に、図６を参照して、本実施例におけるトーションばね３１について説明する。図６は、本実施例におけるレンズ鏡筒１００（自動復帰式操作装置）に設けられたトーションばね３１の組み込み状態での斜視図である。図６に示されるように、トーションばね３１は、コイル部３１ｅと、コイル部３１ｅから延伸した脚部３１ａ、３１ｂを備えて構成されている。脚部３１ａは曲げ部３１ｃを有し、ばね軸方向（レンズの径方向Ｒ）である脚部３１ｂ側に曲げられている。一方、脚部３１ｂは曲げ部を有さず直線状に延びている。トーションバネ３１は自然状態では、脚部３１ａ、３１ｂは互いに交差しているか、より交差する方向に近づいている。それを互いに広げつつ組み込むことにより、上述したように操作部材２３の復帰柱および固定筒２７の中立柱に付勢力を与えることが可能となる。
【００３１】
本実施例では、脚部３１ａが脚部３１ｂに近づくようにばね軸方向に曲げられている。また図４および図５に示されるように、トーションばね３１の脚部３１ａ、３１ｂが操作部材２３の復帰柱２３ａに作用する点はそれぞれ２３ｂ、２３ｃであり、ばね軸方向（レンズの径方向Ｒ）における点２３ｂ、２３ｃの位置は一致している。このように本実施例では、脚部３１ａ、３１ｂの位置は、ばね軸方向において互いに一致している。ここで、「一致」とは厳密に一致することだけでなく、実質的に一致していると評価できる範囲にある場合（略一致）も含む。
【００３２】
回転モーメントは、トーションばね３１の付勢力と回転中心（光軸ＯＡ）からの距離に応じて決定される。このため、トーションばね３１の脚部３１ａ、３１ｂによる回転モーメントは略等しい。一方、仮にトーションばね３１に曲げ部３１ｃが形成されておらず、脚部３１ａが直線状に伸びている場合、上述の操作部材２３の復帰柱２３ａに作用する点は、径方向Ｒにおいて、コイル部３１ｅの高さ分だけ異なる。これにより、図３に示される正回転方向および逆回転方向の回転操作時における回転トルクに差異が生じ、使用者が操作の際に違和感を持つことになる。このため、本実施例の構成によれば、いずれの方向に回転操作した場合でも同等の回転トルクが得られて違和感のないレンズ鏡筒を提供することができる。
【００３３】
また図５に示されるように、トーションばね３１の脚部３１ａに曲げ部３１ｃが形成されていることで、脚部３１ａ（曲げ部３１ｃよりも先端側）が径方向Ｒ（レンズの中心方向）に移動している。このため、中立柱２７ａの高さを低くすることができる。中立柱２７ａの径方向Ｒにおける高さは、トーションばね３１の脚部３１ａが作用する点２７ｂよりも高く設定される必要がある。通常、中立柱２７ａの必要とされる高さは、トーションばね３１の脚部３１ａの寸法公差や変形量などを考慮して決定される。脚部３１ａの寸法公差や変形量は、脚部３１ａに曲げ部３１ｃが形成されているか否かにより変わらない。また、脚部３１ａが径方向Ｒにおいて内側（レンズの中心方向）に移動していることにより、ホルダー筒２６の径を小さくすることができる。このため本実施例の構成によれば、小型のレンズ鏡筒を提供することが可能である。
【００３４】
なお本実施例は上述の構成に限定されるものではない。レンズの径方向Ｒにおける脚部３１ａ、３１ｂの間の距離が近づくように、脚部３１ａ、３１ｂの少なくとも一方がレンズの径方向Ｒ（レンズの中心方向）に曲げられていればよい。
【００３５】
また本実施例において、脚部３１ａ、３１ｂの先端部には、付勢力が働く方向（付勢方向）と逆方向に曲げられた曲げ部３１ｄが形成されている。操作部材２３（復帰柱２３ａ）は、組立時に図２中の右側からトーションばね３１の脚部３１ａ、３１ｂで形成される内部に挿入される。このとき、曲げ部３１ｄが形成されていることにより、復帰柱２３ａをスムーズに脚部３１ａ、３１ｂの間に挿入することが可能となる。なお本実施例において、トーションばね３１の付勢方向と逆に曲げられている曲げ部３１ｄは脚部３１ａ、３１ｂの両方の先端部に形成されているが、これに限定されるものではなく、脚部３１ａ、３１ｂの少なくとも一方の先端部に形成されていればよい。また図５に示されるように、上述と同様に復帰柱２３ａをスムーズに脚部３１ａ、３１ｂの間に挿入するため、操作部材２３には面取り部２３ｅが形成されている。このため、レンズ鏡筒および光学機器の組立性を向上させることが可能である。
【００３６】
本実施例によれば、操作部材を正逆方向いずれの周方向に回転させた場合でも同様の操作トルクが得られるレンズ鏡筒および光学機器を提供することができる。このため、使用者は快適な操作感を得ることが可能となる。また本実施例では、トーションばねの脚部がレンズの中心方向に曲げられているため、省スペース化にも有効である。
【００３７】
なお、本実施例の固定筒はレンズを保持するものであるが、このような固定筒としては、レンズを直接的に保持するものに限定されるものではなく、レンズを間接的に保持するものも含まれる。
【００３８】
また本実施例において、復帰柱は操作部材に設けられて中立柱は固定筒に設けられているが、これに限定されるものではなく、本実施例は互いに逆の関係になる場合でも適用可能である。すなわち、復帰柱は固定筒または操作部材の一方に設けられ、中立柱は固定筒または操作部材の他方に設けられ、コイル部は固定筒または操作部材の他方に固定されていればよい。
【実施例２】
【００３９】
次に、図７を参照して、本発明の実施例２におけるレンズ鏡筒について説明する。図７は、本実施例におけるレンズ鏡筒に用いられるトーションばね３１０（ばね部材）の組み込み状態での斜視図である。トーションバネ３１０は自然状態では、脚部３１ａ、３１ｂは互いに交差しているか、より交差する方向に近づいている。それを互いに広げつつ組み込むことにより、上述したように操作部材２３の復帰柱および固定筒２７の中立柱に付勢力を与えることが可能となる。本実施例のトーションばね３１０は、脚部３１ａ（第１の脚部）と脚部３１ｂ（第２の脚部）の両方が曲げられていることにより、レンズの径方向における脚部３１ａと脚部３１ｂの間の距離が近づくように構成されている点で、実施例１のトーションばねと異なる。なお、その他の構成は実施例１と同様であるため、ここでの説明は省略する。
【００４０】
図７に示されるように、トーションバネ３１０は、コイル部３１ｅと、コイル部３１ｅから延伸した脚部３１ａ、３１ｂを備えて構成されている。脚部３１ａは曲げ部３１ｃを有し、ばね軸方向（レンズの径方向Ｒ）である脚部３１ｂ側に曲げられている。同様に、脚部３１ｂも曲げ部３１ｃを有し、ばね軸方向（レンズの径方向Ｒ）である脚部３１ａ側に曲げられている。このように脚部３１ａと脚部３１ｂは、互いに近づくようにばね軸方向に曲げられている。好ましくは、脚部３１ａ、３１ｂの位置は、ばね軸方向において互いに一致している。このため、脚部３１ａおよび脚部３１ｂが操作部材２３の復帰柱２３ａに作用する点は、ばね軸方向（レンズの径方向Ｒ）では一致している。ここで、「一致」とは厳密に一致することだけでなく、実質的に一致していると評価できる範囲にある場合（略一致）も含む。
【００４１】
このため、本実施例のレンズ鏡筒および光学機器は、レンズの周方向である正回転方向および逆回転方向のいずれにおいても略等しい回転モーメントを得ることができ、回転方向に依存せずに等しい操作感をユーザに提供することが可能となる。また、実施例１と同様に省スペース化という観点でも有効である。
【００４２】
以上、本発明の好ましい実施形態について説明したが、本発明はこれらの実施形態に限定されず、その要旨の範囲内で種々の変形及び変更が可能である。
【符号の説明】
【００４３】
２３：操作部材
２３ａ：復帰柱
２７：固定筒
２７ａ：中立柱
３１：トーションばね
３１ａ、３１ｂ：脚部
３１ｃ：曲げ部
３１ｅ：コイル部
【図１】
2013045034.tif 000003
【図２】
2013045034.tif 000004
【図３】
2013045034.tif 000005
【図４】
2013045034.tif 000006
【図５】
2013045034.tif 000007
【図６】
2013045034.tif 000008
【図７】
2013045034.tif 000009